(57)【要約】【課題】下枠がフラットなサッシにおいて、排水能力が高く、室内への雨水の侵入を効果的に防止できるサッシを提供する。【解決手段】下框１９に戸車３８を有する障子１２，１４と、障子１２，１４を囲む枠体とを具備するサッシ１０において、枠体のうち障子１２，１４の下方に設けられた下枠３２の上面には、ほぼ平面状に形成されたフラット部５０ａ〜５０ｅと、戸車３８の下部が進入して転動し、フラット部５０ａ〜５０ｅとの間の段差壁４４ｂにより戸車３８の移動をガイドするように、フラット部５０ａ〜５０ｅよりも下方に凹んで形成された凹部４４と、凹部４４の底面４４ａにおいて開口された排水孔４６とが形成されている。【選択図】        図３
2005048379.tif 000002
【特許請求の範囲】
【請求項１】
下框に戸車を有する障子と、該障子を囲む枠体とを具備するサッシにおいて、
前記枠体のうち前記障子の下方に設けられた下枠の上面には、
ほぼ平面状に形成されたフラット部と、
前記戸車の下部が進入して転動し、前記フラット部との間の段差壁により戸車の移動をガイドするように、フラット部よりも下方に凹んで形成された凹部と、
該凹部の底面において開口された排水孔とが形成されていることを特徴とするサッシ。
【請求項２】
前記障子の下面には、
前記下枠の凹部を挟んで室外側および室内側のフラット部に接触し、障子の下面と下枠の上面との間を閉塞する気密材が設けられていることを特徴とする請求項１記載のサッシ。
【請求項３】
前記排水孔は、横方向に長尺に延びて形成されていることを特徴とする請求項１または請求項２記載のサッシ。
【請求項４】
前記下枠には、建築物に固定される部位を有するベース部が設けられ、
前記凹部の排水孔を挟んで室内側と室外側で別個の部材である室外側の第１の部材と室内側の第２の部材とが、それぞれ前記ベース部に対して着脱可能に設けられ、
該第１の部材および該第２の部材のそれぞれは、上面がフラットなフラット部と、凹部の底面の一部と、凹部が有する２つの段差壁のうちの一方とが一体に設けられていることを特徴とする請求項３記載のサッシ。
【請求項５】
前記下枠の前記排水孔の下方には、排水孔から落下してきた水からゴミを濾す網状部材が設けられ、
前記第１の部材は、前記下枠の上面と室外側側面とが一体に形成されており、
該第１の部材を前記ベース部から取り外すことによって、前記網状部材が室外側側面方向にも現われることを特徴とする請求項４記載のサッシ。
【請求項６】
前記障子としては、外障子と内障子の２枚の障子が設けられ、
該外障子と該内障子の間に位置するフラット部を有し、前記ベース部に対して前記第１の部材および前記第２の部材とは独立して着脱可能である第３の部材が設けられていることを特徴とする請求項４または請求項５記載のサッシ。
【請求項７】
前記凹部はフラット部よりも２ｍｍ下方に凹んでいることを特徴とする請求項１〜請求項６のうちのいずれか１項記載のサッシ。
【発明の詳細な説明】
【０００１】
【発明の属する技術分野】
本発明は建築物の開口部に設けられるサッシ、特に下枠がフラットに形成されたバリアフリーのサッシに関する。
【０００２】
【従来の技術】
近年、身体に障害がある人や高齢者が暮らしやすいように、バリアフリーをコンセプトにした建築物の提案が多くなされている。
特に、ベランダやバルコニー等への行き来を、車椅子や、歩行が困難な人であってもスムーズに行なうことができるよう、下枠がほぼフラットに構成されているサッシが開発されている（例えば特許文献１、特許文献２参照）。
【０００３】
一方、サッシの下枠がフラットに形成されることにより、障子の下框と下枠との間の隙間から雨が侵入しやすくなるため、フラットのサッシでは雨の侵入をどのように防止するかが大きな問題となる。
上記特許文献１や特許文献２においては、障子から下方に突出するスライド片を設け、下框にはスライド片が挿入されるスライド溝を設けることにより、スライド片で止水を図り、スライド溝から排水されるような構造が提案されている。
【０００４】
【特許文献１】
特開２００２−２２７５５１号公報
【特許文献２】
特開２００２−２２７５３７号公報
【０００５】
【発明が解決しようとする課題】
下枠がフラットなサッシにおいて、室外から雨の侵入を防止するための構造としては、上述したような構造のものが知られているが、さらに排水機能が高い構造が望まれているという課題があった。
【０００６】
そこで、本発明は上記課題を解決すべくなされ、その目的とするところは、下枠がフラットなサッシにおいて、排水能力が高く、室内への雨水の侵入を効果的に防止できるサッシを提供することにある。
【０００７】
【課題を解決するための手段】
本発明は、上記目的を達成するために次の構成を備える。
すなわち、本発明にかかるサッシによれば、下框に戸車を有する障子と、該障子を囲む枠体とを具備するサッシにおいて、前記枠体のうち前記障子の下方に設けられた下枠の上面には、ほぼ平面状に形成されたフラット部と、前記戸車の下部が進入して転動し、前記フラット部との間の段差壁により戸車の移動をガイドするように、フラット部よりも下方に凹んで形成された凹部と、該凹部の底面において開口された排水孔とが形成されていることを特徴としている。
この構成を採用することによって、下框と下枠との間に侵入した雨水は、フラット面よりも凹んで形成された凹部に流れ込んで排水されるので、排水効率がよい。しかも、戸車は凹部にガイドされるので、障子のスライド動作における直進性が確実であり、スムーズな障子のスライドが可能となる。そしてこのような著効を有する構造を、非常に簡単な構成で実現可能となるのでコスト的にも有利である。
【０００８】
また、前記障子の下面には、前記下枠の凹部を挟んで室外側および室内側のフラット部に接触し、障子の下面と下枠の上面との間を閉塞する気密材が設けられていることを特徴としてもよい。
この構成を採用することで、フラットな下枠であっても障子の下框と下枠との間の隙間が閉塞されるので、外気の侵入および雨水の侵入を防ぐことができる。
【０００９】
さらに、前記排水孔は、横方向に長尺に延びて形成されていることを特徴としてもよい。
この構成によれば、雨水等が障子の下框と下枠の上面との間に侵入した場合であっても、確実に雨水等の排出をすることができる。
【００１０】
また、前記下枠には、建築物に固定される部位を有するベース部が設けられ、前記凹部の排水孔を挟んで室内側と室外側で別個の部材である室外側の第１の部材と室内側の第２の部材とが、それぞれ前記ベース部に対して着脱可能に設けられ、該第１の部材および該第２の部材のそれぞれは、上面がフラットなフラット部と、凹部の底面の一部と、凹部が有する２つの段差壁のうちの一方とが一体に設けられていることを特徴としてもよい。
これによれば、下枠を少なくともベース部、第１の部材および第２の部材の３つの部材に分割することができる。この場合、第１の部材と第２の部材の境目を排水孔としているので、各部材の境目において余計な隙間が発生しないので塵等のゴミが溜まりにくい構造にすることができる。またこのようにベース部に対して各部材を着脱可能とすることで、排水孔等から入りこんだゴミを清掃する場合において便利である。
【００１１】
さらに、前記下枠の前記排水孔の下方には、排水孔から落下してきた水からゴミを濾す網状部材が設けられ、前記第１の部材は、前記下枠の上面と室外側側面とが一体に形成されており、該第１の部材を前記ベース部から取り外すことによって、前記網状部材が室外側側面方向にも現われることを特徴としてもよい。
この構成を採用することによって、特にゴミが溜まりやすい網状部材を清掃する際に、室外側側面方向からも見やすくし、またゴミを排出しやすくしなるので、網状部材の清掃の効率が非常によくなる。
【００１２】
また、前記障子としては、外障子と内障子の２枚の障子が設けられ、該外障子と該内障子の間に位置するフラット部を有し、前記ベース部に対して前記第１の部材および前記第２の部材とは独立して着脱可能である第３の部材が設けられていることを特徴としてもよい。
この構成を採用することによって、外障子と内障子の間の第３の部材を単独で取り外して清掃等を行なうことができるので、この部分の清掃も容易に行なうことができる。
【００１３】
なお、前記凹面はフラット面よりも２ｍｍ下方に凹んでいることを特徴としてもよい。
【００１４】
【発明の実施の形態】
以下、本発明にかかる好適な実施の形態を添付図面と共に詳細に説明する。  図１にサッシの側面断面図を、図２に平面断面図を示す。また、図３は下枠と外障子の詳細な構造について説明するための拡大図である。
【００１５】
サッシ１０は、内障子１２と、外障子１４が枠体に囲まれて設けられている。
まず、各障子の構成について説明する。
内障子１２および外障子１４は、ガラス板１６を挟み込み、且つ周囲を囲む框が設けられている。框は、上框１８と、戸車３８を有している下框１９と、召し合わせ框２１と、閉じたときに枠体に接触する位置にある竪框２２とから構成されている。
本実施形態における各框１８，１９，２１，２２は、木製である。木製の框とすることでアルミ製の框と比較して断熱効果を高めることができる。ただし、框の室外側は風雨や直射日光にさらされて損傷が激しくなるので、木が直接現われないようにアルミ製等の化粧板２４が装着されている。
なお、内障子１２および外障子１４のそれぞれの竪框２２には、金属製の取っ手兼締ロック連動装置２５が設けられている。
【００１６】
内障子１２および外障子１４の下框１９には、下方に向けて突出する戸車３８が設けられている。戸車３８は、１つの障子に対して複数個設けられる。なお、図示している戸車３８は、レール（図示しない）に嵌め込まれる溝３９が形成されているものであるが、本発明ではレールは存在しておらず、このような溝３９はなくてもよい。
【００１７】
また、内障子１２および外障子１４の下框１９には、下枠３２の上面と接触して障子と下枠との間の隙間を閉塞するための気密材４０が設けられている。気密材４０は、各障子１２，１４の横方向に長尺に設けられて、下枠３２との間で隙間を生じさせないように設けられている。また気密材４０は、各障子１２，１４において戸車３８を挟んで室内側と室外側の２箇所に配置されている。
【００１８】
次に、枠体について説明する。
枠体は、上下方向に延び、左右両側に設けられている竪枠２８，２８と、内障子１２と外障子の１４の上框１８をスライド可能に保持する上枠３０と、各障子１２，１４を載置する下枠３２とを具備している。
本実施形態における竪枠２８，２８および上枠３０はそれぞれ木製である。これら各枠を木製とすることでアルミ製の枠と比較して断熱効果を高めることができる。ただし、枠の室外側は風雨や直射日光にさらされて損傷が激しくなるので、木が直接現われないようにアルミ製等の化粧板３４が装着されている。
【００１９】
上枠３０の下面には、内障子１２および外障子１４のそれぞれの上方に設けられているスライド部材３６に連結して、内障子１２および外障子１４をスライドさせるスライドレール３５が設けられている。
【００２０】
下枠３２は、上面がほぼフラットに形成されている。このため、車椅子や歩行が困難な人であっても、各障子１２，１４を開けて下枠３２の上を通行することが極めて容易になる。
なお、下枠３２の上面は全体として見ればフラットであるが、各障子１２，１４の戸車３８，３８が配置される部位は、他の部位と比較して若干下方に凹んだ凹部４４として形成されている。このような凹部４４が形成されていることで、戸車３８の先端部が凹部４４内に転動可能となるように進入し、各障子１２，１４のスライド移動がガイドされてスムーズに行なえる。
【００２１】
凹部４４の形状を詳述すると、凹部４４は平面状に形成された底部４４ａと、底部４４ａからフラット部５０へ立ち上がるように形成された段差壁４４ｂとから構成されている。
１つの凹部４４の両側に設けられている段差壁４４ｂの間に戸車３８がはまり込む。つまり、凹部４４に進入した戸車３８の下部側面は段差壁４４ｂに当接するので、戸車３８の移動すなわち各障子１２，１４のスライド移動がガイドされる。これにより各障子１２，１４の直進運動が確実に行なえる。
なお、凹部４４の凹み深さは２ｍｍ程度に設定すると、車椅子や歩行が困難な人でも不自由なく通行可能となり、且つ戸車３８のガイドの役割も十分に果たせるので好適である。
【００２２】
各凹部４４の底部４４ａには、侵入した雨水等を排水するための排水孔４６が形成されている。排水孔４６は、凹部４４に沿って横方向（各障子のスライド方向）に延びており、横方向に長尺な隙間を形成している。
排水孔４６の下方は、排水孔４６に侵入した水を建築物の外側に排出するための通路部４７が形成されている。通路部４７は、内障子１２と外障子１４の両者の排水孔４６からの排水を受けるように設けられている。また、通路部４７の底面４７ａは、室外側へ向かって下りとなるような傾斜面として形成されており、侵入した雨水等の排出を確実に行なうことが可能となっている。
なお、排水孔４６から通路部４７へ至る途中には、雨水と一緒に侵入してきた塵やゴミ等を濾すための網状部材４８が設けられている。
【００２３】
下枠３２の構造についてさらに詳述する。
下枠３２は、建築物の開口部に取り付けられるベース部４２と、ベース部４２の上方に着脱自在に取り付けられて下枠３２の上面を形成する各部材とから構成される。ベース部４２の内部に、上述したような通路部４７が形成されている。
【００２４】
下枠３２の上面は、複数の部材がベース部４２に着脱自在に取り付けられていることにより構成されている。
具体的には、本実施形態の下枠３２は、ベース部４２に対して４つの部材が取り付けられている。
すなわち、外障子１４の下方には、排水孔４６を境として室外側に位置して凹部４４の室外側とフラット部５０ａとを形成している第１部材５２と、排水孔４６を境として室内側に位置して凹部４４の室内側とフラット部５０ｂとを形成している第２部材５４が、それぞれベース部４２に対して着脱自在に取り付けられている。
【００２５】
もう少し具体的に説明すると、第１部材５２は、下枠３２の室外側側面５１と、下枠３２の上面に存するフラット部５０ａと、凹部４４の室外側の段差壁４４ｂと、凹部４４の底部４４ａの一部（排水孔４６を挟んで室外側）とが一体になるように形成されている。
また、第２部材５４は、下枠３２の上面に存するフラット部５０ｂと、凹部４４の室外内側の段差壁４４ｂと、凹部４４の底部４４ａの一部（排水孔４６を挟んで室内側）とが一体になるように形成されている。
【００２６】
また、外障子１４と内障子１２との間には、フラット部５０ｃを形成している第３部材５６が、ベース部４２に対して着脱自在に取り付けられている。
第３部材５６の室内側には、内障子１２の下方に位置して排水孔４６を境として室外側に位置して凹部４４の室外側（凹部４４の室外側の段差壁４４ｂと、凹部４４の底部４４ａの一部（排水孔４６を挟んで室外側））と、フラット部５０ｄとを形成している第４部材５８が、ベース部４２に対して着脱自在に取り付けられている。
なお、内障子１２の下方に位置して排水孔４６を境として室内側に位置して凹部４４の室内側とフラット部５０ｅとを形成している部位は、ベース部４２と一体に形成されている。
なお、各部材５２，５４，５６，５８は、各部材とベース部４２の両者に設けられた鉤状に形成された係合部同士が互いに係合することで着脱自在に設けられ、且つねじ５９等によってベース部４２に固定されている。
【００２７】
図４にこれらの各部材５２，５４，５６，５８をベース部４２から取り外したところを示している。
このように、各部材５２，５４，５６，５８をベース部４２から取り外すには、まず各障子１２，１４を枠体から取り外しておく。そして、ねじ５９等を外し、各部材５２，５４，５６，５８の鉤状の係合部をベース部４２の鉤状の係合部から取り外して行なわれる。
【００２８】
各部材５２，５４，５６，５８を取り外すことにより、排水孔４６の下方に位置し、通路部４７に至る前に塵やゴミを濾し取る網状部材４８が表面に現われる。特に、第１部材５２を取り外すことによって、室外側側面５１も無くなるので、室外側からは、上方および側方から網状部材４８が現われることになる。このため、網状部材４８に付着している塵やゴミを清掃することが容易且つ確実に行なうことができ、網状部材４８の詰まりなどを防止することができる。
【００２９】
また、下枠３２のベース部４２は、室内側と室外側とでそれぞれ別々の部材４２ａ，４２ｂとして構成し、断熱材８４で互いに連結している。
このようにベース部４２を構成する２つの部材４２ａ，４２ｂを断熱材８４を用いて連結することによって、室外と室内との断熱を図り、結露の防止等を図ることができる。
【００３０】
なお、各障子１２，１４の各召し合わせ框２１ａ，２１ｂの外側には、排水孔４６に挿入されて障子全体をガイドするガイド片８２を設けても良い。
このようなガイド片８２を設けることで、障子のスライド移動時のガイドをさらに確実にすることができる。
【００３１】
次に、本実施形態による雨水の排水経路について、図５に基づいてさらに詳述する。
すなわち、矢印Ａのように障子の下面と下枠３２の上面との間に雨水が侵入すると、雨水はまず戸車３８の室外側に位置している気密材４０ａによってその浸入が防がれる。気密材４０ａを通り向けた雨水があっても凹部４４に流れ落ちて排水孔４６から排水される。さらに排水孔４６に排水されないで室内側に通り抜けた水があっても、戸車３８の室内側に位置する気密材４０ｂによって室内側への侵入が防止される。気密材４０ｂによりはね返された水は、凹部４４側へ戻り、排水孔４６から排水される。
【００３２】
排水孔４６から排水された水は、矢印Ｂのように、そのまま落下して網状部材４８を通過し、通路部４７に入り込む。
通路部４７の底面４７ａは室外側に向けて下るように傾斜しているので、通路部４７内に侵入した水は外部に向けて流れ出ていき、矢印Ｃのようにベース部４２の室外側の下部に設けられている排出口８０から排出される。
【００３３】
次に、図６に基づいて止水ブロックの配置について説明する。
下枠３２の内部には、横方向への水や空気の移動を遮断するための止水ブロック８５が複数個設けられている。
止水ブロック８５が設けられている位置は、下枠３２の幅方向の中央であり、各障子１２，１４を閉じたときに、外障子１２の外召し合わせ框２１ａと内障子１４の内召し合わせ框２１ｂが存する位置の下方である。
このように各召し合わせ框２１ａ，２１ｂの下方に複数の止水ブロック８５ａ〜８５ｉを設けたことによって、各障子１２，１４が存する位置にはそれぞれに設けられた気密材４０によって各障子１２，１４の正面に対しては、気密と水密とを図ることができるのであるが、召し合わせ部分における横方向からの水の流入を防止することができる。
【００３４】
本実施形態では、止水ブロック８５ａ〜８５ｉは、下枠３２内において、ベース部４２と、ベース部４２の上方に配置されている各部材５２，５４，５６，５８との間に設けられている。
さらに具体的に説明すると、第１部材５２と第２部材５４との間に形成された排水孔４６の下方であって網状部材４８が設けられている空間内に止水ブロック８５ａが設けられ、第２部材５４の内部に止水ブロック８５ｂが設けられ、第２部材５４とベース部４２との間に止水ブロック８５ｃが設けられている。
また、第３部材５６とベース部４２との間には、３箇所に分かれて止水ブロック８５ｄ〜８５ｆが設けられている。
第４部材５８の内部には止水ブロック８５ｇが設けられ、第４部材５８とベース部４２との間には止水ブロック８５ｈが設けられている。
さらに、第４部材５８とベース部４２の室内側端部との間に形成された排水孔４６の下方であって網状部材４８が設けられている空間内に止水ブロック８５ｉが設けられている。
【００３５】
なお、凹部４４の形状と戸車３８の形状は上述したような実施形態に限定されることはない。
凹部と戸車の形状の他の実施形態を図７〜図８に示す。
図７には、凹部４４の形状が上記実施形態と同一で戸車の形状を変更したものについて示している。この戸車３８は、上記実施形態のようにレールに嵌り込む溝３９が形成されておらず、凹部４４との接触面がフラットに形成されているものである。
このような溝３９が無い戸車３８と凹部４４との組み合わせであっても、排水効果は上述した実施形態と同一であり、障子の下面と下枠３２の上面との間に雨水が侵入したとしても、排水孔４６に雨水等を流し込むようにして排水可能である。そして、戸車３８の下部側面が段差壁４４ｂに当接することにより、戸車３８の移動がガイドされる。
【００３６】
さらに、図８に示すように、凹部４４を、互いに対向する２つの傾斜部４４ｃだけで形成した構造を採用してもよい。つまり、凹部４４には、平面状に形成された底部４４ａを形成しなくともよい。この傾斜部４４ｃが特許請求の範囲にいう段差壁に該当する。
かかる場合にあっては、この凹部４４によってガイドできる戸車３８の形状も上述した実施形態とは異なる形状のものにする必要がある。すなわち、先端部を幅狭にして、左右両側の傾斜部４４ｃの傾斜角度とほぼ同一の傾斜角度を有し、確実に傾斜部４４ｃによってガイドされる形状の戸車３８を採用するのである。つまり、戸車３８の側面に、傾斜部４４ｃの傾斜角度とほぼ同一の傾斜角度を有する傾斜面３８ａを形成したものが好適となる。なお、排水孔４６も傾斜部４４ｃの下端に形成される。
このように、凹部４４として底部が平面ではない場合であっても、侵入した雨水等を確実に排水させることができ、且つ戸車３８も確実にガイドされるので好適である。
【００３７】
なお、上述した実施形態においては、各框並びに上枠および竪枠を木製の場合について説明したが、本発明はこのような構成に限定されるものではない。
また、本発明は内障子と外障子が引き違いに設けられている構造に限定されることはなく、障子がそれぞれ互いに接離動する両引き構造でも、障子が１枚しか設けられていない片引き構造であっても、さらには障子が３枚以上設けられている構造であってもよい。
【００３８】
以上本発明につき好適な実施形態を挙げて種々説明してきたが、本発明はこの実施形態に限定されるものではなく、発明の精神を逸脱しない範囲内で多くの改変を得るのはもちろんである。
【００３９】
【発明の効果】
本発明に係るサッシによれば、下框と下枠との間に侵入した雨水は、フラット面よりも凹んで形成された凹部に流れ込んで排水されるので、排水効率がよい。しかも、戸車は凹部にガイドされるので、障子のスライド動作における直進性が確実であり、スムーズな障子のスライドが可能となる。そしてこのような著効を有する構造を、非常に簡単な構成で実現可能となるのでコスト的にも有利である。
【００４０】
請求項２記載の発明によれば、フラットな下枠であっても障子の下框と下枠との間の隙間が閉塞されるので、外気の侵入および雨水の侵入を防ぐことができる。
請求項３記載の発明によれば、雨水等が障子の下框と下枠の上面との間に侵入した場合であっても、確実に雨水等の排出をすることができる。
【００４１】
請求項４記載の発明によれば、第１の部材と第２の部材の境目を排水孔としているので、各部材の境目において余計な隙間が発生しないので塵等のゴミが溜まりにくい構造にすることができる。またこのようにベース部に対して各部材を着脱可能とすることで、排水孔等から入りこんだゴミを清掃する場合において便利である。
請求項５記載の発明によれば、特にゴミが溜まりやすい網状部材を清掃する際に、室外側側面方向からも見やすくし、またゴミを排出しやすくしなるので、網状部材の清掃の効率が非常によくなる。
【００４２】
請求項６記載の発明によれば、外障子と内障子の間のフラット部を取り外して清掃等を行なうことができるので、清掃効率を上げることができる。
請求項７記載の発明によれば、前記凹面はフラット面よりも２ｍｍ下方に凹んでいるので、雨水の排出と戸車のガイドという２つの作用効果を、車椅子や歩行が困難な人でも通行できるようになるべく全体としてフラットな形状で達成することができる。
【図面の簡単な説明】
【図１】本発明のサッシの側面図である。
【図２】サッシの平面図である。
【図３】図１において下枠部分をさらに拡大した図面である。
【図４】図４において下枠の上面に取付けられている各部材を取り外したところを示す説明図である。
【図５】排水経路について説明する説明図である。
【図６】止水ブロックを配置したところを示す説明図である。
【図７】凹部と戸車の他の実施形態を示す説明図である。
【図８】凹部と戸車の他の実施形態を示す説明図である。
【符号の説明】
１０    サッシ
１２    内障子
１４    外障子
１６    ガラス板
１８    上框
１９    下框
２１    召し合わせ框
２１ａ  外召し合わせ框
２１ｂ  内召し合わせ框
２２    竪框
２４    化粧板
２５    取っ手兼締ロック連動装置
２８  竪枠
３０    上枠
３２    下枠
３４    化粧板
３５    スライドレール
３６    スライド部材
３８    戸車
３９    溝
４０    気密材
４２    ベース部
４４    凹部
４４ａ  底部
４４ｂ  段差壁
４４ｃ  傾斜部
４６    排水孔
４７    通路部
４７ａ  底面
４８    網状部材
５０    フラット部
５１    室外側側面
５２    第１部材
５４    第２部材
５６    第３部材
５８    第４部材
８０    排出口
８２    ガイド片
８４  断熱材
８５  止水ブロック
【図１】
2005048379.tif 000003
【図２】
2005048379.tif 000004
【図３】
2005048379.tif 000005
【図４】
2005048379.tif 000006
【図５】
2005048379.tif 000007
【図６】
2005048379.tif 000008
【図７】
2005048379.tif 000009
【図８】
2005048379.tif 000010